(57)【要約】【課題】  視覚障害者が鉄道車両を利用し易くすなるための鉄道車両用案内板を提供すること。【解決手段】  点字、凸線あるいは凸状マークなどを用いて、鉄道車両内に設けられた共用部の使用に関する情報を提供するためのものであって、共用部を構成する空間の外形形状を凸線の枠２１で表し、その共用部内に設置された設備をそれぞれの形状で示した凸状マーク２２〜２７で表して各凸状マーク２２〜２７を実際の位置に対応させて凸線の枠２１内に配置させた配置図２０と、設備を表す各凸状マーク２２〜２７とともにその凸状マーク２２〜２７が示す設備の説明４１〜４７を点字で表した説明欄とを有する鉄道車両用案内板２。【選択図】        図３
2005289188.tif 000002
【特許請求の範囲】
【請求項１】
鉄道車両において指定席を探すために有用な車両情報を点字にして表したものであり、鉄道車両の入り口に設けられた手摺りに取り付けられたものであることを特徴とする鉄道車両用案内板。
【請求項２】
請求項１に記載する鉄道車両用案内板において、
前記車両情報は、客室入口情報、号車情報、車両の前後情報および席の並び情報であることを特徴とする鉄道車両用案内板。
【請求項３】
点字、凸線あるいは凸状マークなどを用いて、鉄道車両内に設けられた共用部の使用に関する情報を提供するための鉄道車両用案内板であって、
共用部を構成する空間の外形形状を凸線の枠で表し、その共用部内の設備をそれぞれの形状で示した凸状マークで表して各凸状マークを実際の位置に対応させて凸線の枠内に配置させた配置図と、
前記設備を表す各凸状マークとともにその凸状マークが表す各設備の説明を点字で表した説明欄とを有することをことを特徴とする鉄道車両用案内板。
【請求項４】
共用部を構成する空間の外形形状を凸線の枠で表し、その共用部内の設備をそれぞれの形状で示した凸状マークで表して各凸状マークを実際の位置に対応させて凸線の枠内に配置させた配置図と、前記設備を表す各凸状マークとともにその凸状マークを表す各設備の説明を点字で表した説明欄とを有する鉄道車両用案内板を当該共用部内の所定箇所に設け、
その鉄道車両案内板の存在を示す内容を点字で表した誘導板を通路側に設けたことを特徴とする鉄道車両案内システム。
【発明の詳細な説明】
【技術分野】
【０００１】
本発明は、視覚障害者が鉄道車両を利用しやすいように、凸線や点字などを利用した鉄道車両用案内板および鉄道車両案内システムに関する。
【背景技術】
【０００２】
昨今のバリアフリー化の風潮によって、公共施設や商業施設など多くの人が利用する場所では、点字などを利用した案内板が設置され、施設の使用に当たって、視覚障害者が触知によって様々な情報を得る案内システムがとられている。そして、最近では、触知図による説明に加え音声によって情報を伝える視覚障害者用の案内システムが提案されたりしてきている。
【特許文献１】特開平１０−１４９０９１号公報（第２−４頁、図２）
【特許文献２】特開２０００−３９８６１号公報（第３−４頁、図１）
【発明の開示】
【発明が解決しようとする課題】
【０００３】
ところで、これまで鉄道関係では、駅構内には視覚障害者用の点字案内は数多く設置されているが、鉄道車両内での実施が遅れていた。それは、車内の狭い通路では、人が行き交う中で点字を読むこともままならず、点字案内板などの設置場所の特定が難しいからである。また、音声による情報伝達では騒がしい車内ではその音も聞き取ることが困難で有効な手段とはいえないかった。
【０００４】
そこで、本発明は、かかる課題を解決すべく、視覚障害者が鉄道車両を利用し易くすなるための鉄道車両用案内板および鉄道車両案内システムを提供することを目的とする。
【課題を解決するための手段】
【０００５】
本発明の鉄道車両用案内板は、鉄道車両において指定席を探すために有用な車両情報を点字にして表したものであり、鉄道車両の入り口に設けられた手摺りに取り付けられたものであることを特徴とする。
また、本発明の鉄道車両用案内板は、前記車両情報が客室入口情報、号車情報、車両の前後情報および席の並び情報であることを特徴とする。
【０００６】
また、本発明の鉄道車両用案内板は、点字、凸線あるいは凸状マークなどを用いて、鉄道車両内に設けられた共用部の使用に関する情報を提供するためのものであって、共用部を構成する空間の外形形状を凸線の枠で表し、その共用部内の設備をそれぞれの形状で示した凸状マークで表して各凸状マークを実際の位置に対応させて凸線の枠内に配置させた配置図と、前記設備を表す各凸状マークとともにその凸状マークが表す各設備の説明を点字で表した説明欄とを有することをことを特徴とする。
【０００７】
本発明の鉄道車両案内システムは、共用部を構成する空間の外形形状を凸線の枠で表し、その共用部内の設備をそれぞれの形状で示した凸状マークで表して各凸状マークを実際の位置に対応させて凸線の枠内に配置させた配置図と、前記設備を表す各凸状マークとともにその凸状マークを表す各設備の説明を点字で表した説明欄とを有する鉄道車両用案内板を当該共用部内の所定箇所に設け、その鉄道車両案内板の存在を示す内容を点字で表した誘導板を通路側に設けたことを特徴とする。
【発明の効果】
【０００８】
本発明の鉄道車両用案内板は、客室入口情報、号車情報、車両の前後情報および席の並び情報などの鉄道車両において指定席を探すために有用な車両情報を点字にして表したものであって、鉄道車両の入り口に設けられた手摺りに取り付けられるものなので、視覚障害者が乗車するとき、入口で先ず手摺りに手が伸び、そこに設けられた鉄道車両用案内板から目指す指定席を探すための情報を素早く得ることができ、指定席を探すための行動に迷うことなく移ることができる。
【０００９】
また、本発明の鉄道車両用案内板は、車両内共用部を構成する空間の外形形状を凸線の枠で表し、その共用部内の設備をそれぞれの形状で示した凸状マークで表して各凸状マークを実際の位置に対応させて凸線の枠内に配置させた配置図と、設備を表す各凸状マークとともにその凸状マークが表す各設備の説明を点字で表した説明欄とを有する構成としたので、配置図を簡素化することができてトイレなど実際の共用部の配置を簡単に、且つ非常にイメージし易いようになった。そして、各設備に関する必要な事項は説明欄によって確認することができ、配置図との対応によって全体が非常に分かりやすいものとなった。
【００１０】
また、本発明の鉄道車両案内システムは、配置図と説明欄とを有する鉄道車両用案内板を共用部内の所定箇所に設け、その鉄道車両案内板の存在を示す内容を点字で表した誘導板を通路側に設けた構成としたことで、視覚障害者は、鉄道車両用案内板の存在を通路側に設けられた誘導板で知ることができるので通路において立ち止まることなく、車両内での行動を迅速化でき、移動における安全性が高まる。
【発明を実施するための最良の形態】
【００１１】
次に、本発明に係る鉄道車両用案内板および鉄道車両案内システムの一実施形態について、図面を参照しながら以下に説明する。
視覚障害者が高速鉄道車両などを利用する場合に先ず戸惑うのは、乗車に際して自分の予約した指定席を探し当てることである。通常、席を探す場合には、乗り込んだ車両が該当する号車であるのか、或いはその入口が指定席に対してどうにような位置関係にあるのかなど、所定の情報を確認することから始める。そこで、本実施形態では、鉄道車両の入り口に設置された手摺りに対して、席を探し当てるための情報を有する鉄道車両用案内板を貼り付けることとした。
【００１２】
図１は、高速鉄道車両の入り口を示した図である。入り口には、図面左から入ったその左手に、ゴミやカン、ビンの投入口１１〜１３が設けられた壁に手摺り１０が横向きに取り付けられている。そして、その手摺り１０には、図２に示す鉄道車両用案内板２が取り付けられている。すなわち、鉄道車両用案内板１は円柱形をした手摺り１０の表面形状に合わせて丸められ、点字が手摺り１０の上に並ぶようにして貼り付けられる。
図２に示す鉄道車両用案内板１には、客室入口情報、号車情報、車両の前後情報および席の並び情報が点字で表されている。例えば、本実施形態のものでは、図示するように「↑、１６号車、１５列目、客室内左からＡ」といった情報が点字で表されている。
【００１３】
そこで、視覚障害者は、入口から車内に入ると先ず手摺り１０に手が伸び、そこに設けられた鉄道車両用案内板１から、目指す指定席を探すための情報を素早く得ることができる。図２の例でいえば、先ず、矢印↑によって客室への入口が矢印の方向にあることが確認できる。そして、１６号車の車両に乗り込んだこと、客室に入ってすぐの位置にあるシートが１５列目であること、そして客室に入って通路を挟んだ左端からＡ，Ｂ…とシートが並んでいることが確認できる。従って、矢印↑の方向に向かって客室に入った視覚障害者は、通路に沿って移動し、シートの数を数えながら自分が目指すシート番号の指定席を探すことができる。
【００１４】
鉄道車両は、駅での停車時間が限られており、乗り降りする人数が多い場合には、入り口で迷っていると後続の人が押し入るような状況になってとても危険である。そのため、視覚障害者がスムーズに客室に入って指定席をそのまま探すことができるようにすることが重要である。それには、客室内に入って指定席を探す動作が健常者と同様に自然と行うことができることが望ましい。
本実施形態では、視覚障害者が自然と手が伸びる手摺り１０に鉄道車両用案内板１が設けられ、そこには指定席を探し当てるために必要十分な情報がある。従って、視覚障害者は鉄道車両用案内板１に触れることで瞬時に情報を確認するとができ、健常者と同じように指定席を探すための行動に迷うことなく移ることができる。
【００１５】
次に、本実施形態では、視覚障害者がトイレや洗面所など鉄道車両内の共用部を利用する場合、その利用がし易いようにするための鉄道車両用案内板および鉄道車両案内システムを設けている。そこで、鉄道車両内の共用部の中の一つとしてトイレにおける鉄道車両用案内板および鉄道車両案内システムについて説明する。
図３は、個室トイレの鉄道車両用案内板を示した図である。この鉄道車両用案内板２は、下には実際のトイレ室内の設備を凸状マークで示したトイレ用配置図２０が設けられ、その上には配置された設備の凸状マークと、その設備に関する説明文を点字で表した説明欄とから構成されている。
【００１６】
図４は、鉄道車両のトイレ入口を通路側から示した図である。ここでは個室トイレが左右に設置され、それぞれにドア５１，６１が設けられている。そして、それぞれのドア６１，６１の通路表側には誘導板３，４が貼られている。この誘導板３，４は、ここが洋式トイレや和式トイレであることが点字で表されている。更に、誘導板３，４には、「このドアの内側に案内板があります」との文が点字で表され、図３に示す鉄道車両用案内板２がドア５１，６１の内側（反対側）に貼られていることを知らせている。
【００１７】
図３のトイレ用配置図２０は、実際のトイレと同じように設備の配置を凸状マークで表しているが、図５は、その実際のトイレ５０を平面で示した図である。
そこで、先ずこのトイレ５０内の設備について説明する。トイレ５０は、ドア５１から入って右手に（図面では左）に洋式便器５２がある。そして、洋式便器５２に座った状態で周りを見てみると、前方にはトイレットペーパー５３が壁に取り付けられ、その隣には汚物入れ５４が床に置かれている。また、前方の右手角部には手洗い場５５が設置され、入り口と反対側の右横にはセンサー５６とブザー５７とが壁に取り付けられている。センサ５６ーは、手をかざすと便器の水が流れるようにしたものであり、ブザー５７は緊急連絡用に設けられたものである。
【００１８】
次に、図５に示したトイレ５０内の設備の配置と比較しながら鉄道車両用案内名板２を説明する。図３に示したトイレ用配置図２０では、トイレ５０の室内空間の平面形状がトイレ枠２１として凸線で形成され、入口部分が切られている。そして、そこにはドア５１を示すように点字で「ドア」（名称３１）と表されている。そして、そのトイレ枠２１内には、図５に示す配置と同じように、洋式便器５２を示す便器用マーク２２、トイレットペーパー５３を示すペーパー用マーク２３、汚物入れ５４を示す汚物入れ用マーク２４、手洗い場５５を示す手洗い場用マーク２５、センサー５６を示すセンサー用マーク２６及びブザー５７を示すブザー用マーク２７が凸状にして表されている。ただし、こうした凸状マーク２２〜２７は視覚障害者にとって認知されているものではないため、それぞれの凸状マークに添えて点字で「洋式」（名称３２）、「ペーパー」（名称３３）、「手洗い」（名称３５）、「センサー」（名称３６）及び「ブザー」（名称３７）と、各設備の名称が表されている。
【００１９】
次に、この鉄道車両用案内板２には、トイレ用配置図２０の上に、各設備に関する情報を与えるための説明欄が設けられ、各設備を示す凸状マーク２２〜２７とともに説明文が点字で表されている。そこで先ず最上段には、説明４１に「個室内案内図（洋式）」と、この鉄道車両用案内板２の名称が表されている。そして、その下の説明４２には「鍵をかけてご使用下さい」と注意書きが表されている。
更に、その下には左側に並べられた各設備を示す凸状マーク２３〜２７に対する説明が点字で表されている。なお、洋式便器５２を示す便器用マーク２２については、その説明はされていない。凸状マークの形状から容易に分かるからである。
【００２０】
ペーパ用マーク２３の説明４３は、「ペーパー（床から６０センチ）」と、トイレットペーパ５３の位置が表されている。センサー用マーク２６の説明４６では、「水洗センサー（床から１３０センチ）手をかざすと水が流れます。」と、センサー５６の位置と、利用方法が表されている。一方、手洗い場用マーク２５の説明４５では単に「手洗い」としか表されていない。これは、トイレ用配置図２０でも「手洗い」（名称３５）と点字で表しているが、凸状マークの形状からはそれが洗面所と判断できないことと、「手洗い」（名称３５）が、トイレ用配置図２０に表された隣の汚物入れ用マーク２４の名称であると間違わないすることから、念のために説明している。なお、トイレ用配置図２０では、汚物入れ２４の点字による名称の表示は、スペースの関係から狭い所に詰めないように、あえて入れることを避けている。
【００２１】
そこで、汚物入れ用マーク２４の説明４４では、「汚物入れ（ペダル式）手洗いの左下にあります。」と、設備の内容と使用方法、そして手洗い場５５との位置関係を示した説明を表している。最後に、ブザー用マーク２７の説明では、「連絡用ブザー（床から１３０センチ）」と、ブザーの目的とその位置の説明が表されている。
ところで、誘導板３はドア５１の外側（通路側）に貼り付けられ、この鉄道車両用案内板２は同じドア５１の内側（トイレ５０側）に貼り付けられるが、いずれもほぼ同じ高さに貼り付けられている。例えば成人の人が手を前にかざした状態で触れることができるように床から１００〜１３０ｃｍ程度であり、誘導板３の高さに鉄道車両用案内板２を合わせることで、同じドア５１の反対側にある鉄道車両用案内板２の位置の見当をつけやすいからである。
【００２２】
鉄道車両に乗車した視覚障害者は、その共用部の一つであるトイレ５０を次のようにして利用する。
通路にいる視覚障害者は、先ずトイレ５０のドア５１に貼られた誘導板３に触れる。そこでは先ず、点字で表された「洋式」という内容から洋式トイレであることを確認し、更に「このドアの内側に案内板があります」という説明から、トイレが空いていればドア５１を開けて中に入る。そして、中に入ったところでドア５１を締め、続いてそのドア５１の内側に貼られた鉄道車両用案内板２に触れる。
【００２３】
その鉄道車両用案内板２からは、例えば最上段の説明４１部分に触れることで、「個室内案内図（洋式）」との内容から誘導板３で示した案内板であることが確認できる。そして、次にその下の説明４２に触れることで、「鍵をかけてご使用下さい」との注意書きを確認する。
その後、説明欄の各凸状マーク２３〜２７やその説明４３〜４７に触れ、更にはその下のトイレ用配置図２０に触れてトイレ５０内の配置を確認することができる。すなわち、ドア５１から入って右手に（図面では左）に洋式便器５２があり、そこに座った状態で前方には床から高さ６０センチのところにトイレットペーパー５３が、右手角部には手洗い場５５があり、また右横には水を流すためのセンサー５６があるなど、このトイレ５０を利用するに当たって必要な情報が得られる。
【００２４】
よって、本実施形態の鉄道車両用案内板２によれば、説明欄を分けて、トイレ用配置図２０にはトイレ枠２１内に凸状マーク２２〜２７と名称３１〜３７だけを入れるようにして簡素化したので、実際のトイレ５０の配置を簡単に、且つ非常にイメージし易いようになった。そして、各設備に関する必要な事項を、凸状マーク２２〜２７とともに点字で構成した説明欄にして表すようにしたので、トイレ用配置図２０との対応によって全体が非常に分かりやすいものとなった。そのため、トイレのような共用部では、不用意に不衛生なものに手を触れる機会を減らすことができ、衛生面の向上が図られた。また、視覚障害者は、緊急時に必要なブザー５７の位置を正確に把握することで安心が得られる。
【００２５】
更に、本実施形態の鉄道車両案内システムでは、通路側の誘導板３，４などによって鉄道車両の共用部を確認することで、視覚障害者によって鉄道車両の利便性が高まった。
そして、本実施形態ではトイレ５０内に設けた鉄道車両用案内板２の存在を通路側に設けられた誘導板３で知らせるようにしたので、視覚障害者が通路において立ち止まることなく、素早くトイレ５０に入って鉄道車両用案内板２の確認に行動を移すことができる。これにより、車両内の行動を迅速化でき、移動における安全性が高まった。また、誘導板３によって鉄道車両用案内板２の位置が知らされているため、トイレ内の案内板を探すため手探りすることもなくなったので衛生上好ましい。
【００２６】
以上、本発明に係る鉄道車両用案内板および鉄道車両案内システムの一実施形態について説明したが、本発明はこれらに限定されることなく、その趣旨を逸脱しない範囲で様々な変更が可能である。
例えば、前記実施形態では鉄道車両内の共用部としてトイレを例に挙げたが、この他にも洗面台などに設ける鉄道車両用案内板および鉄道車両案内システムであってもよい。
【図面の簡単な説明】
【００２７】
【図１】高速鉄道車両の入り口を示した図である。
【図２】手摺りに取り付けられた鉄道車両用案内板を示した図である。
【図３】トイレ用の鉄道車両用案内板を示した図である。
【図４】高速鉄道車両のトイレ入口を通路側から示した図である。
【図５】高速鉄道車両のトイレを平面で示した図である。
【符号の説明】
【００２８】
１，２    鉄道車両用案内板
３，４    誘導板
１０      手摺り
２０      トイレ用配置図
２１      トイレ枠
２２〜２７  （設備を示す凸状マーク）
３１〜３７  （設備を示す点字で表した名称）
４１〜４７  （説明欄に点字で表した説明）
５０  トイレ
５１  ドア
５２  洋式便器
５３  トイレットペーパー
５４  汚物入れ
５５  手洗い場
５６  センサー
５７  ブザー
【図１】
2005289188.tif 000003
【図２】
2005289188.tif 000004
【図３】
2005289188.tif 000005
【図４】
2005289188.tif 000006
【図５】
2005289188.tif 000007